【手続補正書】
【提出日】平成27年3月27日(2015.3.27)
【手続補正１】
【補正対象書類名】明細書
【補正対象項目名】０００７
【補正方法】変更
【補正の内容】
【０００７】
本発明は上述の問題を解決するためのものであり、請求項１に係る発明は、複数の面を有する断面が一様で細長い被加工部材の各面に対してレーザ加工機によって切断加工を行う加工システムにおいて、前記被加工部材の高さおよび幅と一致しない複数の面のすべてにまたがる形状の製品の切断加工する加工プログラムを、前記レーザ加工機に対して作成する自動プログラミング装置であって、
前記被加工部材の形状データおよび前記製品の形状データを入力するための入力手段と、
（Ａ）前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記製品の所定部分に、前記製品と前記被加工部材の端部とを繋ぐブリッジを作成する処理を行う工程と、
（Ｃ）前記工程（Ｂ）において行われた前記ブリッジを作成する処理により展開図上に作成された前記ブリッジを外形線に結合した展開図に対して切断軌跡を割り付ける工程と、を制御する制御手段と、を有し、
前記被加工部材の高さおよび幅と一致しない複数の面のすべてにまたがる形状の製品をレーザ加工するに当たって、前記製品と前記被加工部材の端部とを繋ぐブリッジ部分の切断加工を付加した加工プログラムが作成されることを特徴とする。
【手続補正２】
【補正対象書類名】明細書
【補正対象項目名】０００８
【補正方法】削除
【補正の内容】
【手続補正３】
【補正対象書類名】明細書
【補正対象項目名】００１１
【補正方法】変更
【補正の内容】
【００１１】
請求項４に係る発明は、複数の面を有する断面が一様で細長い被加工部材の各面に対してレーザ加工機によって切断加工を行う加工システムにおいて、前記被加工部材の形状データおよび製品の形状データを入力するための入力手段と制御手段とを有し、前記被加工部材の高さおよび幅と一致しない複数の面のすべてにまたがる形状の前記製品の切断加工する加工プログラムを、前記レーザ加工機に対して作成する自動プログラミング方法であって、
（Ａ）前記制御手段により、前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記制御手段により、前記製品の所定部分に、前記製品と前記被加工部材の端部とを繋ぐブリッジを作成する処理を行う工程と、
（Ｃ）前記制御手段により、前記工程（Ｂ）において行われた前記ブリッジを作成する処理により展開図上に作成された前記ブリッジを外形線に結合した展開図に対して切断軌跡を割り付ける工程と、を有し、
前記被加工部材の高さおよび幅と一致しない複数の面のすべてにまたがる形状の製品をレーザ加工するに当たって、前記製品と前記被加工部材の端部とを繋ぐブリッジ部分の切断加工を付加した加工プログラムが作成されることを特徴とする。
請求項５に係る発明は、複数の面を有する断面が一様で細長い被加工部材の各面に対してレーザ加工機によって切断加工を行う加工システムにおいて、前記被加工部材の高さおよび幅と一致しない複数の面のすべてにまたがる形状の製品の切断加工する加工プログラムを、前記レーザ加工機に対して作成する自動プログラミング装置であって、
前記被加工部材の形状データおよび前記製品の形状データを入力するための入力手段と、
（Ａ）前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記製品の所定部分に、前記製品と前記被加工部材の端部とを繋ぐブリッジを作成する処理を行う工程と、
（Ｃ）前記工程（Ｂ）において行われた前記ブリッジを作成する処理により展開図上に作成された前記ブリッジを外形線に結合した展開図に対して切断軌跡を割り付ける工程とを制御する制御手段とを有し、
前記展開図の上端面における製品図形の中で、一番左側あるいは右側の最大点の要素を見つけ出し、前もって設定されたブリッジ巾の条件に基づいて、見つけ出された前記最大点よりブリッジを作成し、
前記展開図の下端面における前記製品図形の中で、一番左側あるいは右側の最小点の要素を見つけ出し、前もって設定されたブリッジ巾の条件に基づいて、見つけ出された前記最小点よりブリッジを作成することを特徴とする。
請求項６に係る発明は、複数の面を有する断面が一様で細長い被加工部材の各面に対してレーザ加工機によって切断加工を行う加工システムにおいて、前記被加工部材の高さおよび幅と一致しない複数の面のすべてにまたがる形状の製品の切断加工する加工プログラムを、前記レーザ加工機に対して作成する自動プログラミング装置であって、
前記被加工部材の形状データおよび前記製品の形状データを入力するための入力手段と、
（Ａ）前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記製品の所定部分に、前記製品と前記被加工部材の端部とを繋ぐブリッジを作成する処理を行う工程と、
（Ｃ）前記工程（Ｂ）において行われた前記ブリッジを作成する処理により展開図上に作成された前記ブリッジを外形線に結合した展開図に対して切断軌跡を割り付ける工程とを制御する制御手段とを有し、
前記展開図の上端面における製品図形の中で、一番左側あるいは右側の最大点の要素を見つけ出し、前もって設定されたブリッジ巾の条件に基づいて、見つけ出された前記最大点よりブリッジを作成し、
前記展開図の下端面における前記製品図形の中で、一番左側あるいは右側の最小点の要素を見つけ出し、前もって設定されたブリッジ巾の条件に基づいて、見つけ出された前記最小点よりブリッジを作成し、
前記見つけ出された最大点あるいは最小点よりブリッジを作成する場合において、ブリッジ作成開始点から左側あるいは右側に所定巾のブリッジを作成することにより展開長が大きくなってしまう場合には反対側にブリッジを作成することを特徴とする。
【手続補正４】
【補正対象書類名】特許請求の範囲
【補正対象項目名】全文
【補正方法】変更
【補正の内容】
【特許請求の範囲】
【請求項１】
複数の面を有する断面が一様で細長い被加工部材の各面に対してレーザ加工機によって切断加工を行う加工システムにおいて、前記被加工部材の高さおよび幅と一致しない複数の面のすべてにまたがる形状の製品の切断加工する加工プログラムを、前記レーザ加工機に対して作成する自動プログラミング装置であって、
前記被加工部材の形状データおよび前記製品の形状データを入力するための入力手段と、
（Ａ）前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記製品の所定部分に、前記製品と前記被加工部材の端部とを繋ぐブリッジを作成する処理を行う工程と、
（Ｃ）前記工程（Ｂ）において行われた前記ブリッジを作成する処理により展開図上に作成された前記ブリッジを外形線に結合した展開図に対して切断軌跡を割り付ける工程と、を制御する制御手段と、を有し、
前記被加工部材の高さおよび幅と一致しない複数の面のすべてにまたがる形状の製品をレーザ加工するに当たって、前記製品と前記被加工部材の端部とを繋ぐブリッジ部分の切断加工を付加した加工プログラムが作成されることを特徴とする自動プログラミング装置。
【請求項２】
前記展開図の上端面における製品図形の中で、一番左側あるいは右側の最大点の要素を見つけ出し、前もって設定されたブリッジ巾の条件に基づいて、見つけ出された前記最大点よりブリッジを作成し、
前記展開図の下端面における前記製品図形の中で、一番左側あるいは右側の最小点の要素を見つけ出し、前もって設定されたブリッジ巾の条件に基づいて、見つけ出された前記最小点よりブリッジを作成する処理からなることを特徴とする請求項１に記載の自動プログラミング装置。
【請求項３】
前記見つけ出された最大点あるいは最小点よりブリッジを作成する場合において、ブリッジ作成開始点から左側あるいは右側に所定巾のブリッジを作成することにより展開長が大きくなってしまう場合には反対側にブリッジを作成することを特徴とする請求項２に記載の自動プログラミング装置。
【請求項４】
複数の面を有する断面が一様で細長い被加工部材の各面に対してレーザ加工機によって切断加工を行う加工システムにおいて、前記被加工部材の形状データおよび製品の形状データを入力するための入力手段と制御手段とを有し、前記被加工部材の高さおよび幅と一致しない複数の面のすべてにまたがる形状の前記製品の切断加工する加工プログラムを、前記レーザ加工機に対して作成する自動プログラミング方法であって、
（Ａ）前記制御手段により、前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記制御手段により、前記製品の所定部分に、前記製品と前記被加工部材の端部とを繋ぐブリッジを作成する処理を行う工程と、
（Ｃ）前記制御手段により、前記工程（Ｂ）において行われた前記ブリッジを作成する処理により展開図上に作成された前記ブリッジを外形線に結合した展開図に対して切断軌跡を割り付ける工程と、を有し、
前記被加工部材の高さおよび幅と一致しない複数の面のすべてにまたがる形状の製品をレーザ加工するに当たって、前記製品と前記被加工部材の端部とを繋ぐブリッジ部分の切断加工を付加した加工プログラムが作成されることを特徴とする自動プログラミング方法。
【請求項５】
複数の面を有する断面が一様で細長い被加工部材の各面に対してレーザ加工機によって切断加工を行う加工システムにおいて、前記被加工部材の高さおよび幅と一致しない複数の面のすべてにまたがる形状の製品の切断加工する加工プログラムを、前記レーザ加工機に対して作成する自動プログラミング装置であって、
前記被加工部材の形状データおよび前記製品の形状データを入力するための入力手段と、
（Ａ）前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記製品の所定部分に、前記製品と前記被加工部材の端部とを繋ぐブリッジを作成する処理を行う工程と、
（Ｃ）前記工程（Ｂ）において行われた前記ブリッジを作成する処理により展開図上に作成された前記ブリッジを外形線に結合した展開図に対して切断軌跡を割り付ける工程とを制御する制御手段とを有し、
前記展開図の上端面における製品図形の中で、一番左側あるいは右側の最大点の要素を見つけ出し、前もって設定されたブリッジ巾の条件に基づいて、見つけ出された前記最大点よりブリッジを作成し、
前記展開図の下端面における前記製品図形の中で、一番左側あるいは右側の最小点の要素を見つけ出し、前もって設定されたブリッジ巾の条件に基づいて、見つけ出された前記最小点よりブリッジを作成することを特徴とする自動プログラミング装置。
【請求項６】
複数の面を有する断面が一様で細長い被加工部材の各面に対してレーザ加工機によって切断加工を行う加工システムにおいて、前記被加工部材の高さおよび幅と一致しない複数の面のすべてにまたがる形状の製品の切断加工する加工プログラムを、前記レーザ加工機に対して作成する自動プログラミング装置であって、
前記被加工部材の形状データおよび前記製品の形状データを入力するための入力手段と、
（Ａ）前記被加工部材の形状データおよび前記製品の形状データを用いて、前記被加工部材の展開補助線で前記被加工部材を展開し、前記製品の形状を示す外形線を有する展開図を作成する工程と、
（Ｂ）前記製品の所定部分に、前記製品と前記被加工部材の端部とを繋ぐブリッジを作成する処理を行う工程と、
（Ｃ）前記工程（Ｂ）において行われた前記ブリッジを作成する処理により展開図上に作成された前記ブリッジを外形線に結合した展開図に対して切断軌跡を割り付ける工程とを制御する制御手段とを有し、
前記展開図の上端面における製品図形の中で、一番左側あるいは右側の最大点の要素を見つけ出し、前もって設定されたブリッジ巾の条件に基づいて、見つけ出された前記最大点よりブリッジを作成し、
前記展開図の下端面における前記製品図形の中で、一番左側あるいは右側の最小点の要素を見つけ出し、前もって設定されたブリッジ巾の条件に基づいて、見つけ出された前記最小点よりブリッジを作成し、
前記見つけ出された最大点あるいは最小点よりブリッジを作成する場合において、ブリッジ作成開始点から左側あるいは右側に所定巾のブリッジを作成することにより展開長が大きくなってしまう場合には反対側にブリッジを作成することを特徴とする自動プログラミング装置。